【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1の送信時間間隔(TTI)の間に第1のリソース要素数を使用してパイロットシンボルの第1のセットを受信するステップと、
チャネル特性と前記第1のリソース要素数に関連するしきい値との比較に少なくとも基づいて、第2のTTIの間に第2のリソース要素数を使用してパイロットシンボルの第2のセットを受信するステップであって、前記第1のTTIおよび前記第2のTTIが同一のリソース要素数を含み、前記第1のリソース要素数が前記第2のリソース要素数とは異なる、ステップと、
ドップラースプレッドの推定を形成するステップであって、前記チャネル特性がチャネルドップラースプレッドの前記推定を含む、ステップと、
前記推定が前記しきい値を超過すると判定するステップと、
ドップラースプレッドの前記推定に基づいて前記第2のリソース要素数を決定するステップであって、前記第1のリソース要素数がベースラインリソース要素数であり、前記第2のリソース要素数が前記第1のリソース要素数よりも大きく、前記第2のリソース要素数が、前記第1のリソース要素数よりも多い時間スロット数にわたって分散する、ステップと
を含む方法。
【請求項２】
前記チャネル特性を測定するステップと、
前記チャネル特性と前記しきい値との前記比較に基づいて前記第2のリソース要素数を決定するステップと、
前記第2のリソース要素数の指示を含む要求を送信するステップと
をさらに含む請求項1に記載の方法。
【請求項３】
前記第1のリソース要素数が、前記第1のTTI内の第1の直交周波数分割多重方式(OFDM)シンボル数にわたって分散し、前記第2のリソース要素数が、前記第2のTTI内の第2のOFDMシンボル数にわたって分散し、各リソース要素が、OFDMシンボル間隔内の1つのOFDM副搬送波を表し、前記第1のOFDMシンボル数が前記第2のOFDMシンボル数に等しい請求項1に記載の方法。
【請求項４】
前記第1のリソース要素数が、前記第1のTTI内の第1のシンボル間隔数にわたって分散し、前記第2のリソース要素数が、前記第2のTTIの第2のシンボル間隔数にわたって分散し、前記第1のシンボル間隔数が前記第1のリソース要素数に比例し、前記第2のシンボル間隔数が前記第2のリソース要素数に比例する請求項1に記載の方法。
【請求項５】
前記チャネル特性が、遅延スプレッドまたは干渉レベルの少なくとも一つをさらに含む請求項2に記載の方法。
【請求項６】
ワイヤレス通信のための方法であって、
第1の送信時間間隔(TTI)の間に第1のリソース要素数を使用してパイロットシンボルの第1のセットを受信するステップと、
チャネル特性と前記第1のリソース要素数に関連するしきい値との比較に少なくとも基づいて、第2のTTIの間に第2のリソース要素数を使用してパイロットシンボルの第2のセットを受信するステップであって、前記第1のTTIおよび前記第2のTTIが同一のリソース要素数を含み、前記第1のリソース要素数が前記第2のリソース要素数とは異なる、ステップと、
チャネル遅延スプレッドの推定を形成するステップであって、前記チャネル特性がチャネル遅延スプレッドの前記推定を含む、ステップと、
前記推定が前記しきい値を超過すると判定するステップと、
チャネル遅延スプレッドの前記推定に基づいて前記第2のリソース要素数を決定するステップであって、前記第1のリソース要素数がベースラインリソース要素数であり、前記第2のリソース要素数が前記第1のリソース要素数よりも大きく、前記第2のリソース要素数が、前記第1のリソース要素数と同数のシンボル間隔にわたって分散する、ステップと
を含む方法。
【請求項７】
前記第2のリソース要素数の指示を含むメッセージを受信するステップをさらに含み、前記第2のリソース要素数が、前記チャネル特性と前記しきい値との前記比較に基づく請求項1に記載の方法。
【請求項８】
前記第2のリソース要素数の指示を含む要求を送信するステップをさらに含む請求項6に記載の方法。
【請求項９】
前記第1のリソース要素数が、前記第1のTTI内の第1の直交周波数分割多重方式(OFDM)シンボル数にわたって分散し、前記第2のリソース要素数が、前記第2のTTI内の第2のOFDMシンボル数にわたって分散し、各リソース要素が、OFDMシンボル間隔内の1つのOFDM副搬送波を表し、前記第1のOFDMシンボル数が前記第2のOFDMシンボル数に等しい請求項6に記載の方法。
【請求項１０】
前記第1のリソース要素数が、前記第1のTTI内の第1のシンボル間隔数にわたって分散し、前記第2のリソース要素数が、前記第2のTTIの第2のシンボル間隔数にわたって分散し、前記第1のシンボル間隔数が前記第1のリソース要素数に比例し、前記第2のシンボル間隔数が前記第2のリソース要素数に比例する請求項6に記載の方法。
【請求項１１】
前記第2のリソース要素数の指示を含むメッセージを受信するステップをさらに含み、前記第2のリソース要素数が、前記チャネル特性と前記しきい値との前記比較に基づく請求項6に記載の方法。
【請求項１２】
第1の送信時間間隔(TTI)の間に第1のリソース要素数を使用してパイロットシンボルの第1のセットを送信するステップと、
チャネル特性と前記第1のリソース要素数に関連するしきい値との比較に少なくとも基づいて、第2のTTIの間に第2のリソース要素数を使用してパイロットシンボルの第2のセットを送信するステップであって、前記第1のTTIおよび前記第2のTTIが同一のリソース要素数を含み、前記第1のリソース要素数が前記第2のリソース要素数とは異なり、前記チャネル特性がドップラースプレッドの推定を含む、ステップと、
前記推定が前記しきい値を超過すると判定するステップと、
ドップラースプレッドの前記推定に基づいて前記第2のリソース要素数を決定するステップであって、前記第1のリソース要素数がベースラインリソース要素数であり、前記第2のリソース要素数が前記第1のリソース要素数よりも大きく、前記第2のリソース要素数が、前記第1のリソース要素数よりも多い時間スロット数にわたって分散する、ステップと
を含むワイヤレス通信のための方法。
【請求項１３】
前記第2のリソース要素数の指示を含む要求を受信するステップであって、前記第2のリソース要素数が、前記チャネル特性と前記しきい値との前記比較に基づく、ステップ
をさらに含む請求項12に記載の方法。
【請求項１４】
前記第1のリソース要素数が、前記第1のTTI内の第1の直交周波数分割多重方式(OFDM)シンボル数にわたって分散し、前記第2のリソース要素数が、前記第2のTTI内の第2のOFDMシンボル数にわたって分散し、前記第1のOFDMシンボル数が前記第2のOFDMシンボル数に等しい請求項12に記載の方法。
【請求項１５】
前記第1のリソース要素数が、前記第1のTTI内の第1のシンボル数にわたって分散し、前記第2のリソース要素数が、前記第2のTTI内の第2のシンボル数にわたって分散し、前記第1のシンボル数が前記第1のリソース要素数に比例し、前記第2のシンボル数が前記第2のリソース要素数に比例する請求項12に記載の方法。
【請求項１６】
パイロットシンボルの前記第1のセットおよびパイロットシンボルの前記第2のセットを送信するステップが、基地局内で行われ、方法が、
前記基地局において移動局から信号を受信するステップと、
前記信号に基づいて前記チャネル特性を決定するステップと、
前記チャネル特性と前記しきい値との前記比較に基づいて前記第2のリソース要素数を決定するステップと
をさらに含む請求項12に記載の方法。
【請求項１７】
前記チャネル特性が、遅延スプレッドまたは干渉レベルの少なくとも一つをさらに含む請求項16に記載の方法。
【請求項１８】
パイロットシンボルの前記第1のセットおよびパイロットシンボルの前記第2のセットを送信するステップが、基地局内で行われ、方法が、
前記基地局においてダウンリンク変調およびコーディング方式(MCS)を選択するステップと
ダウンリンクMCSに基づいて前記第2のリソース要素数を決定するステップと
をさらに含む請求項16に記載の方法。
【請求項１９】
パイロットシンボルの前記第1のセットおよびパイロットシンボルの前記第2のセットを送信するステップが、基地局内で行われ、方法が、
チャネル品質インジケータ(CQI)の値を使用して外部ループリンク適合を実施するステップと、
前記CQIの値に基づいて前記第2のリソース要素数を決定するステップと
をさらに含む請求項16に記載の方法。
【請求項２０】
第1の送信時間間隔(TTI)の間に第1のリソース要素数を使用してパイロットシンボルの第1のセットを送信するステップと、
チャネル特性と前記第1のリソース要素数に関連するしきい値との比較に少なくとも基づいて、第2のTTIの間に第2のリソース要素数を使用してパイロットシンボルの第2のセットを送信するステップであって、前記第1のTTIおよび前記第2のTTIが同一のリソース要素数を含み、前記第1のリソース要素数が前記第2のリソース要素数とは異なり、前記チャネル特性がチャネル遅延スプレッドの推定を含む、ステップと、
前記推定が前記しきい値を超過すると判定するステップと、
遅延スプレッドの前記推定に基づいて前記第2のリソース要素数を決定するステップであって、前記第1のリソース要素数がベースラインリソース要素数であり、前記第2のリソース要素数が前記第1のリソース要素数よりも大きく、前記第2のリソース要素数が、前記第1のリソース要素数と同数の時間スロットにわたって分散する、ステップと
を含むワイヤレス通信のための方法。
【請求項２１】
前記第2のリソース要素数の指示を含む要求を受信するステップであって、前記第2のリソース要素数が、前記チャネル特性と前記しきい値との前記比較に基づく、ステップ
をさらに含む請求項20に記載の方法。
【請求項２２】
前記第1のリソース要素数が、前記第1のTTI内の第1の直交周波数分割多重方式(OFDM)シンボル数にわたって分散し、前記第2のリソース要素数が、前記第2のTTI内の第2のOFDMシンボル数にわたって分散し、前記第1のOFDMシンボル数が前記第2のOFDMシンボル数に等しい請求項20に記載の方法。
【請求項２３】
前記第1のリソース要素数が、前記第1のTTI内の第1のシンボル数にわたって分散し、前記第2のリソース要素数が、前記第2のTTI内の第2のシンボル数にわたって分散し、前記第1のシンボル数が前記第1のリソース要素数に比例し、前記第2のシンボル数が前記第2のリソース要素数に比例する請求項20に記載の方法。
【請求項２４】
パイロットシンボルの前記第1のセットおよびパイロットシンボルの前記第2のセットを送信するステップが、基地局内で行われ、方法が、
前記基地局において移動局から信号を受信するステップと、
前記信号に基づいて前記チャネル特性を決定するステップと、
前記チャネル特性と前記しきい値との前記比較に基づいて前記第2のリソース要素数を決定するステップと
をさらに含む請求項20に記載の方法。
【請求項２５】
パイロットシンボルの前記第1のセットおよびパイロットシンボルの前記第2のセットを送信するステップが、基地局内で行われ、方法が、
前記基地局においてダウンリンク変調およびコーディング方式(MCS)を選択するステップと
ダウンリンクMCSに基づいて前記第2のリソース要素数を決定するステップと
をさらに含む請求項20に記載の方法。
【請求項２６】
パイロットシンボルの前記第1のセットおよびパイロットシンボルの前記第2のセットを送信するステップが、基地局内で行われ、方法が、
チャネル品質インジケータ(CQI)の値を使用して外部ループリンク適合を実施するステップと、
前記CQIの値に基づいて前記第2のリソース要素数を決定するステップと
をさらに含む請求項20に記載の方法。